(57)【要約】【課題】プレゼンテーションなどにおいて自動的に映像・音声を含むマルチメディアコンテンツを生成する装置を提供する。【解決手段】ＤＶカメラ１によって撮影されるプレゼンターの映像情報、およびプレゼンテーション実施端末２から出力されてプロジェクター８に表示される画面情報が、入力部４に入力されて、生成部５が、プレゼンテーションの記録として再構成し、マルチメディアファイルに生成する。出力部６は、プレゼンテーションの進行に伴う映像およびプレゼンテーションの資料情報・データなどを出力して、プロジェクター８が映写する。また、生成部５が生成した映像をプレゼンテーションの記録ファイルであるマルチメディアファイルは、ＤＶＤドライブ９に格納する。【選択図】        図３
2005252574.tif 000002
【特許請求の範囲】
【請求項１】
映像情報および音声情報の少なくとも１つを含む情報を入力する映像入力装置、資料情報および操作イベント情報の少なくとも１つを含む情報を入力する資料入力装置、ならびに前記情報の少なくとも１つ以上を出力する映像出力装置にそれぞれ接続するマルチメディアコンテンツ生成装置であって、
前記映像入力装置および資料入力装置が入力した前記情報を入力する入力手段と、
前記入力手段が入力した前記情報を再構成し、マルチメディアコンテンツを生成する生成手段と、
前記入力手段を介して入力した前記資料入力装置の前記情報および前記映像入力装置の前記情報の少なくともいずれかの情報を、前記映像出力装置に出力する出力手段と、
を備えることを特徴とするマルチメディアコンテンツ生成装置。
【請求項２】
前記映像入力装置、資料入力装置、および映像出力装置のうちから選択して前記情報を入出力させる選択要求を受け付ける選択手段を、さらに備えたものであることを特徴とする請求項１に記載のマルチメディアコンテンツ生成装置。
【請求項３】
前記映像入力装置、資料入力装置、映像出力装置、およびこれら装置のいずれか１つ以上をそれぞれ支持する支持装置に対して、上記装置の入出力制御、前記支持装置が支持する支持動作の制御、および前記生成手段が生成する前記マルチメディアコンテンツの生成パラメータの制御のうち１つ以上の制御要求を受け付ける制御手段を、さらに備えたものであることを特徴とする請求項１または２に記載のマルチメディアコンテンツ生成装置。
【請求項４】
前記生成手段は、前記映像入力装置および資料入力装置の少なくともいずれかから受信する映像の時間経過中の映像変化量を算出し算出された前記映像変化量を所定のしきい値と比較して前記しきい値以下であると判定した場合、該時間経過中の映像を、静止画像および該時間経過の長さで置き換えて前記マルチメディアコンテンツを生成するものであることを特徴とする請求項１〜３のいずれか１つに記載のマルチメディアコンテンツ生成装置。
【請求項５】
前記選択手段は、入力した前記映像情報、音声情報、資料情報および操作イベント情報を含む情報のうちから、前記映像出力装置に選択して出力させる要求を受け付けるものであることを特徴とする請求項２〜４のいずれか１つに記載のマルチメディアコンテンツ生成装置。
【請求項６】
前記映像入力装置および資料入力装置の少なくともいずれかが入力する映像情報は、静止画像情報であることを特徴とする請求項１に記載のマルチメディアコンテンツ生成装置。
【請求項７】
映像情報および音声情報の少なくとも１つを含む情報を入力する映像入力工程と、
資料情報および操作イベント情報の少なくとも１つを含む情報を入力する資料入力工程と、
前記映像入力工程において入力された前記情報および前記資料入力工程において入力された前記情報を再構成し、マルチメディアコンテンツを生成する生成工程と、
前記映像入力工程において入力された前記情報および前記資料入力工程において入力された前記情報のうち少なくともいずれかの情報を映像出力する映像出力工程と、
を含むことを特徴とするマルチメディアコンテンツ生成方法。
【請求項８】
請求項７に記載のマルチメディアコンテンツ生成方法をコンピュータに実行させることを特徴とするプログラム。
【請求項９】
それぞれネットワーク接続される、映像情報および音声情報の少なくとも１つを含む情報を入力する映像入力装置と、
資料情報および操作イベント情報の少なくとも１つを含む情報を入力する資料入力装置と、
映像を出力する映像出力装置と、
前記映像入力装置および資料入力装置が入力した前記情報を入力する入力手段、
前記入力手段が入力した前記情報を再構成し、マルチメディアコンテンツを生成する生成手段、
前記入力手段を介して入力した前記資料入力装置の前記情報および前記映像入力装置の前記情報の少なくともいずれかの情報を、前記映像出力装置に出力する出力手段を有するマルチメディアコンテンツ生成装置と、
を備えたことを特徴とするマルチメディアコンテンツ生成システム。
【請求項１０】
前記映像入力装置、資料入力装置、および映像出力装置のうちから選択して前記情報を入出力させる選択要求を受け付ける選択装置を、さらに備えたものであることを特徴とする請求項９に記載のマルチメディアコンテンツ生成システム。
【請求項１１】
前記映像入力装置、資料入力装置、映像出力装置、およびこれら装置のいずれか１つ以上をそれぞれ支持する支持装置に対して、上記装置の入出力制御、前記支持装置が支持する支持動作の制御、および前記生成手段が生成する前記マルチメディアコンテンツの生成パラメータの制御のうち１つ以上の制御要求を受け付ける制御装置を、さらに備えたものであることを特徴とする請求項９または１０に記載のマルチメディアコンテンツ生成システム。
【発明の詳細な説明】
【技術分野】
【０００１】
本発明は、マルチメディアコンテンツ生成装置、マルチメディアコンテンツ生成方法、その方法をコンピュータに実行させるプログラム、およびマルチメディアコンテンツ生成システムに関するものである。
【背景技術】
【０００２】
講演などのプレゼンテーションにおいて、プロジェクター等の表示装置を利用した講演が行われる場合、該プレゼンテーションを録画・記録して該プレゼンテーションのマルチメディアコンテンツを生成するマルチメディアコンテンツ生成端末の技術がある。マルチメディアコンテンツ生成端末とは、資料や操作イベントの情報からマルチメディアコンテンツを生成する端末である。
【０００３】
従来、この種のマルチメディアコンテンツは、該プレゼンテーション資料の情報とスライド切り替えなどの操作イベントの情報とを別々に生成して、その後に連動させて生成する（特許文献１）。
【０００４】
【特許文献１】特開２００２−２３２８５８号公報
【発明の開示】
【発明が解決しようとする課題】
【０００５】
しかしながら従来の技術においては、プレゼンテーションなどにおいてプレゼンテーションの画像情報と話者の説明するテキスト情報とを別々に作成するため、合成して記録ファイルを生成する際、繁雑な作業が必要となっていた。また、プレゼンテーションを実施する端末であるＰＣ（Ｐｅｒｓｏｎａｌ  Ｃｏｍｐｕｔｅｒ）に対して、一方ではプロジェクターを、他方ではマルチメディアコンテンツ生成端末を接続する構成であるため、プレゼンテーション実施端末をプレゼンテーション会場などでセットする場合、接続が二箇所必要となるので、講演者およびマルチメディアコンテンツ生成端末を操作する操作者にとっては、プレゼンテーションの記録のための準備および実際の記録のために煩雑な作業が生じるという問題点があった。
【０００６】
本発明は、上記問題に鑑みてなされ、その目的は、簡易な構成と繁雑な作業無しに自動的に映像・音声を含むマルチメディアコンテンツを生成できる利便性の高いマルチメディアコンテンツ生成装置、マルチメディアコンテンツ生成方法、その方法をコンピュータに実行させるプログラム、およびマルチメディアコンテンツ生成システムを提供することである。
【課題を解決するための手段】
【０００７】
上述した課題を解決し、目的を達成するために、請求項１にかかる発明は、映像情報および音声情報の少なくとも１つを含む情報を入力する映像入力装置、資料情報および操作イベント情報の少なくとも１つを含む情報を入力する資料入力装置、ならびに前記情報の少なくとも１つ以上を出力する映像出力装置にそれぞれ接続するマルチメディアコンテンツ生成装置であって、前記映像入力装置および資料入力装置が入力した前記情報を入力する入力手段と、前記入力手段が入力した前記情報を再構成し、マルチメディアコンテンツを生成する生成手段と、前記入力手段を介して入力した前記資料入力装置の前記情報および前記映像入力装置の前記情報の少なくともいずれかの情報を、前記映像出力装置に出力する出力手段と、を備えることを特徴とする。
【０００８】
この請求項１にかかる発明によれば、映像入力装置から入力する映像情報および音声情報の少なくとも１つを含む情報、および資料入力装置から入力する資料情報および操作イベント情報の少なくとも１つを含む情報を、入力手段が入力し、入力した情報を生成手段が再構成しマルチメディアコンテンツとして生成し、かつ入力手段を介して入力した資料入力装置および映像入力装置の情報の少なくともいずれかの情報を映像出力装置が映像出力する。この構成によって、例えばプレゼンテーション会場においてプレゼンターがプレゼンテーションを行う場合、プレゼンターの映像を入力し、かつプレゼンターが使用する資料入力装置から映像を含む資料情報とイベント情報を生成手段に入力させ、映像出力装置に表示出力させてプレゼンテーションを行いながら、プレゼンテーション内容を記録したマルチメディアファイルを生成することができるので、簡易な操作で自動的に映像・音声を含むマルチメディアコンテンツを生成できる。
【０００９】
また、請求項２にかかる発明は、請求項１に記載のマルチメディアコンテンツ生成装置において、前記映像入力装置、資料入力装置、および映像出力装置のうちから選択して前記情報を入出力させる選択要求を受け付ける選択手段を、さらに備えたものであることを特徴とする。
【００１０】
この請求項２にかかる発明によれば、映像入力装置、資料入力装置、および映像出力装置のうちから選択して情報を入出力させる選択要求を受け付ける選択手段を、さらに備えた。この構成により、記録者は映像資料などの入出力装置を選択できるので、簡易な操作で内容を選択し自動的に映像・音声を含むマルチメディアコンテンツを生成できる。
【００１１】
また、請求項３にかかる発明は、請求項１または２に記載のマルチメディアコンテンツ生成装置において、前記映像入力装置、資料入力装置、映像出力装置、およびこれら装置のいずれか１つ以上をそれぞれ支持する支持装置に対して、上記装置の入出力制御、前記支持装置が支持する支持動作の制御、および前記生成手段が生成する前記マルチメディアコンテンツの生成パラメータの制御のうち１つ以上の制御要求を受け付ける制御手段を、さらに備えたものであることを特徴とする。
【００１２】
この請求項３にかかる発明によれば、映像入力装置、資料入力装置、映像出力装置、およびこれら装置のいずれか１つ以上をそれぞれ支持する支持装置に対して、上記装置の入出力制御、支持装置が支持する支持動作の制御、および生成手段が生成するマルチメディアコンテンツの生成パラメータの制御のうち１つ以上の制御要求を受け付ける制御手段を、さらに備えた。この構成により、記録者は装置の情報の入出力制御および該装置の支持動作、ならびにマルチメディアコンテンツの生成パラメータを制御できるので、簡易な操作で、内容を選択して精確に自動的に映像・音声を含むマルチメディアコンテンツを生成できる。
【００１３】
また、請求項４にかかる発明は、請求項１〜３のいずれか１つに記載のマルチメディアコンテンツ生成装置において、前記生成手段は、前記映像入力装置および資料入力装置の少なくともいずれかから受信する映像の時間経過中の映像変化量を算出し算出された前記映像変化量を所定のしきい値と比較して前記しきい値以下であると判定した場合、該時間経過中の映像を、静止画像および該時間経過の長さで置き換えて前記マルチメディアコンテンツを生成するものであることを特徴とする。
【００１４】
この請求項４にかかる発明によれば、生成手段は、映像入力装置および資料入力装置の少なくともいずれかから受信する映像の時間経過中の映像変化量を算出し算出された映像変化量を所定のしきい値と比較してしきい値以下であると判定した場合、該時間経過中の映像を、静止画像および時間経過の長さで置き換えてマルチメディアコンテンツを生成する。この構成により、例えばプレゼンテーション端末で表示されている映像が、スライドアニメーションやデモンストレーションのためのアプリケーションとは異なり動きのないスライドの場合や、プレゼンターの動きが少ない場合、静止画で代用して、記録する情報量を抑えることができるので、記録効率を高めて自動的に映像・音声を含むマルチメディアコンテンツを生成できる。
【００１５】
また、請求項５にかかる発明は、請求項２〜４のいずれか１つに記載のマルチメディアコンテンツ生成装置において、前記選択手段は、入力した前記映像情報、音声情報、資料情報および操作イベント情報を含む情報のうちから、前記映像出力装置に選択して出力させる要求を受け付けるものであることを特徴とする。
【００１６】
この請求項５にかかる発明によれば、選択手段は、入力した映像情報、音声情報、資料情報および操作イベント情報を含む情報のうちから、映像出力装置に選択して出力させる要求を受け付ける。この構成により、記録者は映像出力装置に出力させる情報を選択できるので、簡易な操作で、自動的に的確な内容の映像・音声を含むマルチメディアコンテンツを生成できる。
【００１７】
また、請求項６にかかる発明は、請求項１に記載のマルチメディアコンテンツ生成装置において、前記映像入力装置および資料入力装置の少なくともいずれかが入力する映像情報は、静止画像情報であることを特徴とする。
【００１８】
この請求項６にかかる発明によれば、映像入力装置または資料入力装置が入力する映像情報は、静止画像情報である。この構成により、例えばプレゼンテーション端末の表示映像が、スライドアニメーションやデモンストレーションのためのアプリケーションとは異なり動きのないスライドの場合や、プレゼンターの動きが少ない場合、静止画で代用して、記録する情報量を抑えることができるので、記録効率を高めて自動的に映像・音声を含むマルチメディアコンテンツを生成できる。
【００１９】
また、請求項７にかかる発明は、マルチメディアコンテンツ生成方法であって、映像情報および音声情報の少なくとも１つを含む情報を入力する映像入力工程と、資料情報および操作イベント情報の少なくとも１つを含む情報を入力する資料入力工程と、前記映像入力工程において入力された前記情報および前記資料入力工程において入力された前記情報を再構成し、マルチメディアコンテンツを生成する生成工程と、前記映像入力工程において入力された前記情報および前記資料入力工程において入力された前記情報のうち少なくともいずれかの情報を映像出力する映像出力工程と、を含むことを特徴とする。
【００２０】
この請求項７にかかる発明によれば、映像入力工程において映像情報および音声情報の少なくとも１つを含む情報を入力し、資料入力工程において資料情報および操作イベント情報の少なくとも１つを含む情報を入力し、生成工程において、映像入力工程で入力された情報および資料入力工程で入力された情報を再構成しマルチメディアコンテンツを生成し、映像出力工程において映像入力工程で入力された情報および資料入力工程で入力された情報のうち少なくともいずれかの情報を映像出力する。この構成によって、例えばプレゼンターがプレゼンテーションを行う場合、プレゼンターの映像を入力し、かつプレゼンターが使用する資料・データを入力して表示させてプレゼンテーションを行いながら、プレゼンテーション内容を記録したマルチメディアファイルを生成することができるので、簡易な操作で自動的に映像・音声を含むマルチメディアコンテンツを生成できる。
【００２１】
また、請求項８にかかる発明は、プログラムであって、請求項７に記載のマルチメディアコンテンツ生成方法をコンピュータに実行させることを特徴とする。
【００２２】
この請求項８にかかる発明によれば、プログラムは、請求項７に記載のマルチメディアコンテンツ生成方法をコンピュータに実行させることができる。
【００２３】
また、請求項９にかかる発明は、マルチメディアコンテンツ生成システムであって、それぞれネットワーク接続される、映像情報および音声情報の少なくとも１つを含む情報を入力する映像入力装置と、資料情報および操作イベント情報の少なくとも１つを含む情報を入力する資料入力装置と、映像を出力する映像出力装置と、前記映像入力装置および資料入力装置が入力した前記情報を入力する入力手段、前記入力手段が入力した前記情報を再構成し、マルチメディアコンテンツを生成する生成手段、前記入力手段を介して入力した前記資料入力装置の前記情報および前記映像入力装置の前記情報の少なくともいずれかの情報を、前記映像出力装置に出力する出力手段を有するマルチメディアコンテンツ生成装置と、を備えたことを特徴とする。
【００２４】
この請求項９にかかる発明によれば、マルチメディアコンテンツ生成システムであって、映像情報および音声情報の少なくとも１つを含む情報を入力する映像入力装置と、資料情報および操作イベント情報の少なくとも１つを含む情報を入力する資料入力装置と、映像情報を出力する映像出力装置と、映像入力装置および資料入力装置が入力した情報を入力する入力手段、入力手段が入力した情報を再構成しマルチメディアコンテンツを生成する生成手段、入力手段を介して入力した資料入力装置の情報および映像入力装置の情報の少なくともいずれかの情報を映像出力装置に出力する出力手段を有するマルチメディアコンテンツ生成装置と、を備えた。この構成によって、例えばプレゼンテーション会場においてプレゼンターがプレゼンテーションを行う場合、プレゼンターの映像を入力し、かつプレゼンターが使用する資料入力装置からプレゼンテーション内容を入力し、映像出力装置に表示出力させてプレゼンテーションを行いながら、プレゼンテーション内容を記録したマルチメディアファイルを生成することができるので、簡易な操作で自動的に映像・音声を含むマルチメディアコンテンツを生成できる。
【００２５】
また、請求項１０にかかる発明は、請求項９に記載のマルチメディアコンテンツ生成システムであって、前記映像入力装置、資料入力装置、および映像出力装置のうちから選択して前記情報を入出力させる選択要求を受け付ける選択装置を、さらに備えたものであることを特徴とする。
【００２６】
この請求項１０にかかる発明によれば、映像入力装置、資料入力装置、および映像出力装置のうちから選択して情報を入出力させる選択要求を受け付ける選択装置を、さらに備えた。この構成により、記録者は映像資料などの入出力装置を選択できるので、簡易な操作で内容を選択し自動的に映像・音声を含むマルチメディアコンテンツを生成できる。
【００２７】
また、請求項１１にかかる発明は、請求項９または１０に記載のマルチメディアコンテンツ生成システムであって、前記映像入力装置、資料入力装置、映像出力装置、およびこれら装置のいずれか１つ以上をそれぞれ支持する支持装置に対して、上記装置の入出力制御、前記支持装置が支持する支持動作の制御、および前記生成手段が生成する前記マルチメディアコンテンツの生成パラメータの制御のうち１つ以上の制御要求を受け付ける制御装置を、さらに備えたものであることを特徴とする。
【００２８】
この請求項１１にかかる発明によれば、映像入力装置、資料入力装置、映像出力装置、およびこれら装置のいずれか１つ以上をそれぞれ支持する支持装置に対して、上記装置の入出力制御、支持装置が支持する支持動作の制御、および生成手段が生成するマルチメディアコンテンツの生成パラメータの制御のうち１つ以上の制御要求を受け付ける制御装置を、さらに備えた。この構成により、記録者は装置の情報の入出力制御および該装置の支持動作を制御できるので、簡易な操作で、情報の入出力および入出力装置の位置を制御できるので、内容を選択して精確に自動的に映像・音声を含むマルチメディアコンテンツを生成できる。
【発明の効果】
【００２９】
本発明（請求項１）にかかるマルチメディアコンテンツ生成装置は、例えばプレゼンテーション会場においてプレゼンターがプレゼンテーションを行う場合、プレゼンターの映像を入力し、かつプレゼンターが使用する資料入力装置から映像を含む資料情報とイベント情報を生成手段に入力させ、映像出力装置に表示出力させてプレゼンテーションを行いながら、プレゼンテーション内容を記録したマルチメディアファイルを生成することができるので、簡易な操作で自動的に映像・音声を含むマルチメディアコンテンツを生成できる。
【００３０】
また、本発明（請求項２）にかかるマルチメディアコンテンツ生成装置は、記録者は映像資料などの入出力装置を選択できるので、簡易な操作で内容を選択し自動的に映像・音声を含むマルチメディアコンテンツを生成できる。
【００３１】
また、本発明（請求項３）にかかるマルチメディアコンテンツ生成装置は、記録者は装置の情報の入出力制御および該装置の支持動作、ならびにマルチメディアコンテンツの生成パラメータを制御できるので、簡易な操作で、内容を選択して精確に自動的に映像・音声を含むマルチメディアコンテンツを生成できる。
【００３２】
また、本発明（請求項４）にかかるマルチメディアコンテンツ生成装置は、例えばプレゼンテーション端末で表示されている映像が、スライドアニメーションやデモンストレーションのためのアプリケーションとは異なり動きのないスライドの場合や、プレゼンターの動きが少ない場合、静止画で代用して、記録する情報量を抑えることができるので、記録効率を高めて自動的に映像・音声を含むマルチメディアコンテンツを生成できる。
【００３３】
また、本発明（請求項５）にかかるマルチメディアコンテンツ生成装置は、記録者は映像出力装置に出力させる情報を選択できるので、簡易な操作で、自動的に的確な内容の映像・音声を含むマルチメディアコンテンツを生成できる。
【００３４】
また、本発明（請求項６）にかかるマルチメディアコンテンツ生成装置は、例えばプレゼンテーション端末の表示映像が、スライドアニメーションやデモンストレーションのためのアプリケーションとは異なり動きのないスライドの場合や、プレゼンターの動きが少ない場合、静止画で代用して、記録する情報量を抑えることができるので、記録効率を高めて自動的に映像・音声を含むマルチメディアコンテンツを生成できる。
【００３５】
また、本発明（請求項７）にかかるマルチメディアコンテンツ生成方法は、例えばプレゼンターがプレゼンテーションを行う場合、プレゼンターの映像を入力し、かつプレゼンターが使用する資料・データを入力して表示させてプレゼンテーションを行いながら、プレゼンテーション内容を記録したマルチメディアファイルを生成することができるので、簡易な操作で自動的に映像・音声を含むマルチメディアコンテンツを生成できる。
【００３６】
また、本発明（請求項８）にかかるプログラムは、請求項７に記載のマルチメディアコンテンツ生成方法をコンピュータに実行させることができる。
【００３７】
また、本発明（請求項９）にかかるマルチメディアコンテンツ生成システムは、例えばプレゼンテーション会場においてプレゼンターがプレゼンテーションを行う場合、プレゼンターの映像を入力し、かつプレゼンターが使用する資料入力装置からプレゼンテーション内容を入力し、映像出力装置に表示出力させてプレゼンテーションを行いながら、プレゼンテーション内容を記録したマルチメディアファイルを生成することができるので、簡易な操作で自動的に映像・音声を含むマルチメディアコンテンツを生成できる。
【００３８】
また、本発明（請求項１０）にかかるマルチメディアコンテンツ生成システムは、記録者は映像資料などの入出力装置を選択できるので、簡易な操作で内容を選択し自動的に映像・音声を含むマルチメディアコンテンツを生成できる。
【００３９】
また、本発明（請求項１１）にかかるマルチメディアコンテンツ生成システムは、記録者は装置の情報の入出力制御および該装置の支持動作を制御できるので、簡易な操作で、情報の入出力および入出力装置の位置を制御できるので、内容を選択して精確に自動的に映像・音声を含むマルチメディアコンテンツを生成できる。
【発明を実施するための最良の形態】
【００４０】
（１．実施の形態によるマルチメディアコンテンツ生成装置の構成）
図１は、実施の形態によるマルチメディアコンテンツ生成装置の機能的ブロック図である。マルチメディアコンテンツ生成装置３に対してデジタルビデオ（ＤＶ）カメラ１、プレゼンテーション実施端末２、操作入力端末７、プロジェクター８、デジタルヴァーサタイルディスク（ＤＶＤ）ドライブ９、およびモニター１０が接続されて、マルチメディアコンテンツ生成システムが構成されている。
【００４１】
マルチメディアコンテンツ生成装置３は、入力部４、生成部５、および出力部６を備える。
【００４２】
図２は、マルチメディアコンテンツ生成装置が生成したマルチメディアコンテンツを、モニターの表示画面に表示した一例を説明する図である。
【００４３】
ここでは、プレゼンテーション会場でプレゼンター（説明者、不図示）がプレゼンテーション実施端末２を用いてプレゼンテーションを行った際に、マルチメディアコンテンツ生成装置３が、該プレゼンテーションを記録し、記録された情報からプレゼンテーション記録ファイルを生成する場合を例にとって説明する。
【００４４】
ＤＶカメラ１は、プレゼンターがプレゼンテーションを行う場面を撮影する。プレゼンターはプレゼンテーションをＰＣ（パーソナルコンピュータ）などのプレゼンテーション実施端末２を使用して行う。ここで、プレゼンターは、パワーポイント（Ｒ）などのプレゼンテーションソフトをＰＣにインストールしマルチメディアコンテンツ生成装置３を介してプロジェクター８に必要な資料・データを映像として表示させながら、プレゼンターの音声あるいはＰＣに格納された音声によって説明する。ここで、ＤＶカメラ１は、本発明の映像入力装置を構成する。
【００４５】
また、プレゼンテーション実施端末２は、本発明の資料入力装置を構成する。プレゼンテーション実施端末２は、例えばパワーポイント（Ｒ）によるファイルによって生成される資料情報を出力する。資料情報とは例えば、パワーポイント上で扱われる文字・画像を含むファイルによる情報であり、単なるテキスト情報だけでなく、映像情報をも含む。また、プレゼンテーション実施端末２は、ページめくり、スライド切り替えなどの操作イベント情報を出力する。
【００４６】
ＤＶカメラ１からプレゼンテーションを行うプレゼンターや会場の様子を撮影された映像情報、およびプレゼンテーション実施端末２から出力されてプロジェクター８に表示される画面情報などが、入力部４に入力される。プレゼンテーション実施端末２からは、プレゼンテーションの進行に伴ってプレゼンテーションの映像を含む資料・データなどの情報が、入力部４に入力される。ここで資料情報とはプレゼンテーションに必要な資料に関する情報であり、既述のように映像情報をも含むものである。
【００４７】
生成部５は、入力部４を介して入力されたＤＶカメラ１からの映像およびプレゼンテーション実施端末２からの資料情報を受信し、同期を取りながら、プレゼンテーションの記録としてまとめ、マルチメディアファイルに生成する。
【００４８】
出力部６は、プレゼンテーションの進行に伴う映像およびプレゼンテーションの資料・データなどの資料情報をプロジェクター８に出力する。また、出力部６は、生成部５が生成したマルチメディアファイルをプロジェクター８、ＤＶＤドライブ９、あるいはモニター１０に出力する。
【００４９】
プロジェクター８は、プレゼンテーションの進行につれて、プレゼンテーション実施端末２が出力するプレゼンテーションの資料・データ、およびＤＶカメラ１が撮影したプレゼンテーションについての映像を表示する。
【００５０】
ＤＶＤドライブ９は、必要に応じてＤＶカメラ１によって撮影された映像、あるいは生成部５によって生成されたマルチメディアファイルを格納する。
【００５１】
この構成によって、マルチメディアコンテンツ生成装置３はプレゼンテーション進行時においてはスライドショーを表示しながら録画・記録し、プレゼンテーションが進行中かあるいは終了した後には、該プレゼンテーションを編集してマルチメディアコンテンツによるプレゼンテーションを記録したマルチメディアファイルを生成できる。
【００５２】
ここで、プレゼンテーションを編集したマルチメディアコンテンツファイルは、ＤＶＤドライブ９に限らず、例えばＰＣ（Ｐｅｒｓｏｎａｌ  Ｃｏｍｐｕｔｅｒ）によって読み取られる記憶媒体に格納可能なファイル形式で記録される構成としても良い。
【００５３】
図２に示すように、マルチメディアコンテンツ生成装置３が生成したマルチメディアコンテンツは、モニター１０に表示される。生成されるマルチメディアファイルの表示内容（図２の符号５０）は具体的には、
１．タイトル５１およびスライドショーの映像や画像情報（スライド５４）
２．ビデオカメラなどで撮影した発表者の映像や音声情報（映像５２）
３．プレゼンテーション資料から自動生成される目次情報（目次５３）
を含む。
【００５４】
また、生成されたファイルのコンテンツを表示する場合、
１．スライドショーの切り替えイベントを利用して、発表者の映像や音声と同期して、スライドの画像が切り替わる
２．ファイルをＰＣの表示画面で表示する場合、ＰＣの入力部から操作することによって、目次情報の部分をクリックすると、目次部分に該当する資料を説明する映像場面やスライド映像を画面に表示する
３．ＰＣで表示した画面においてコンテンツは、Ｗｅｂブラウザで表示される
などの機能を有する。
【００５５】
図３は、マルチメディアコンテンツ生成装置の構成を説明する図である。図１および２を合わせて参照しながら、実施の形態によるマルチメディアコンテンツ生成装置の構成をさらに説明する。
【００５６】
入力部４および生成部５は、ＩＥＥＥ１３９４カード１１、ソフトウェアプロセッサ１３、エンコーダＡ１２を備え、ＤＶカメラ１で撮影した発表者の映像をＩＥＥＥ１３９４カード１１からＤＶ−ＡＶＩ映像フォーマットの入力を受信し、ソフトウェアプロセッサ１３とエンコーダＡ１２を介して処理され、映像データをＨＤＤ（ハードディスク）  Ａ１７に記録する。この構成以外であっても例えば、映像を入力するキャプチャカード、Ｗｅｂカメラ、およびＵＳＢカメラと対応するデコードソフトウェアを備えた構成でも良い。
【００５７】
入力部４および生成部５は、また、ネットワークカード１５、ソフトウェアプロセッサ１３、エンコーダＢ１６を備え、プレゼンテーション実施端末２から出力された資料情報及び操作イベント情報、あるいはこれら情報がプレゼンテーション実施端末２に表示される映像の入力を受信し、ソフトウェアプロセッサ１３によって処理された後、ＨＤＤ  Ｂ１８に記録する。この構成以外であっても入力部４および生成部５は、例えば、映像を入力するＩＥＥＥ１３９４カード、キャプチャカード、Ｗｅｂカメラ、ＵＳＢカメラと対応するデコードソフトウェアを備えた構成でも良い。
【００５８】
生成部５は、また、マルチメディアコンテンツ生成記録媒体１４、ＨＤＤ  Ａ１７およびＨＤＤ  Ｂ１８を備え、ソフトウェアプロセッサ１３からのデータ記録、および参照要求に応じた処理を行う。発表者の映像と、プレゼンテーション実施端末２の表示装置に表示される映像とを同時に記録するため、ここではＨＤＤ  Ａ１７およびＨＤＤ  Ｂ１８の二つのＨＤＤで構成しているが、十分な書き込み性能があれば、一つのＨＤＤでも良い。また、マルチメディアコンテンツ生成記録媒体１４は、生成部５における記録およびファイル生成処理の際に必要となる記録を行う。
【００５９】
生成部５は、マルチメディアコンテンツを生成するものであり、ＨＤＤ  Ａ１７およびＨＤＤ  Ｂ１８に記録された発表者の映像、スライドなどプレゼンテーション実施端末２の表示装置に表示される映像・データ、およびイベント情報から、前述したマルチメディアコンテンツを生成し、ＨＤＤ  Ａ１７に記録する。映像ファイルやイベント情報からマルチメディアコンテンツを生成するソフトウェアは生成部５を構成し、その動作は公知の技術であるので、本発明では特に限定しない。ここで、プレゼンテーション実施端末２の表示画面には、請求項における資料情報として例えばパワーポイント（Ｒ）による映像表示がなされている。
【００６０】
生成部５において映像を含むマルチメディアコンテンツを生成する場合、プレゼンテーション実施端末２に表示された映像情報からコンテンツを作成しても良いが、プレゼンテーション実施端末２に格納されているパワーポイント（Ｒ）によるファイルから直接映像情報を生成することが望ましい。同じ映像を記録する場合でも、画像の劣化を避けることができるからである。また、上記パワーポイント（Ｒ）によるファイルを例に挙げて映像情報を含むマルチメディアコンテンツを直接生成することを説明したのであるが、これはパワーポイント（Ｒ）に限らず、プレゼンテーション実施端末２で使用されるプレゼンテーションソフト一般について言えることである。
【００６１】
映像ファイルの入力開始およびイベント情報の入力開始を含む操作は、このソフトウェアプロセッサ１３上で動作するＷｅｂサーバーが、ユーザーによる指定可能なＨＴＭＬファイルを生成し、ネットワークカード１５経由でネットワーク上の操作入力端末７に送信して表示させ、ユーザーによる指定入力を受け付けるように構成する。この方式以外であっても、マルチメディアコンテンツ生成装置３に備えたスイッチおよび赤外線によるリモートコントロールを含む指定入力を受け付ける方式であっても可能である（不図示）。
【００６２】
出力部６は、ＵＳＢカード２０を備え、ソフトウェアプロセッサ１３によって生成され記録されたマルチメディアコンテンツを、書き込み可能なＤＶＤドライブ９へ出力する。この構成以外であっても、ＰＣＭＣＩＡ経由のメモリカードへの出力、ＩＥＥＥ１３９４経由の例えば外部ＨＤＤのような記憶装置、ネットワーク経由による端末へ出力する構成であっても可能である（不図示）。
【００６３】
また、出力部６は、グラフィックスカード１９を備え、プレゼンテーション実施端末２に表示された映像をプロジェクター８へ出力する。ここで、プロジェクター８への映像出力は、生成部５を経由する構成としたが、経由せずに直接入力部４から出力部６を介して出力する構成とすることもできる。
【００６４】
（２．実施の形態によるマルチメディアコンテンツ生成の手順）
図４は、実施の形態によるマルチメディアコンテンツ生成の手順を説明するフローチャートである。プレゼンテーションの開始に合わせて、記録する操作者は、操作入力端末７から開始操作をすることにより、開始を要求する信号がマルチメディアコンテンツ生成装置３に送信される。生成部１２は、開始要求の信号を検出状態にあり（ステップＳ１０１）、検出した場合（ステップＳ１０１のＹｅｓ）、ＤＶカメラ１がプレゼンテーションの模様を撮影開始する（ステップＳ１０２）。ＤＶカメラ１によって撮影された映像情報は、入力部４を介して生成部５に送信され、映像情報としてＨＤＤ  Ａ１７に蓄積される（ステップＳ１０３）。生成部５は、記録の停止を要求する信号の検出動作に入り（ステップＳ１０４）、停止信号を受信しない限り（ステップＳ１０４のＮｏ）映像情報を受信して処理し続け、受信した場合（ステップＳ１０４のＹｅｓ）、次のステップＳ１１０に移行する。
【００６５】
また、生成部１２は、開始要求の信号を検出した場合（ステップＳ１０１のＹｅｓ）、入力部４はプレゼンテーション実施端末２から送信されるプレゼンテーション実施端末２の表示画面情報のキャプチャを開始する（ステップＳ１０５）。
【００６６】
生成部５がプレゼンテーション端末２の表示画面のキャプチャを開始すると、生成部５はキャプチャした画面情報をＨＤＤ  Ｂ１８に蓄積開始し（ステップＳ１０６）、生成部５は、記録停止を要求する信号を検出したか否かの動作に入り（ステップＳ１０７）、検出しない限り（ステップＳ１０７のＮｏ）、蓄積を継続する。生成部５が記録停止要求信号を検出した場合（ステップＳ１０７のＹｅｓ）、ステップＳ１１０に移行する。
【００６７】
生成部５は、ＨＤＤ  Ａ１７に蓄積された映像情報およびＨＤＤ  Ｂ１８に蓄積されたプレゼンテーション画面情報を、所定の仕様に基づき合成して生成し（ステップＳ１１０）、出力部６は、生成されたマルチメディアファイルをＤＶＤドライブ９に出力する。
【００６８】
一方、ステップＳ１０５において生成部５がプレゼンテーション実施端末２の画面情報のキャプチャを開始すると、出力部６は、キャプチャした画面情報を、プロジェクター８に出力し（ステップＳ１０８）、生成部５が記録停止信号を検出する状態に入り（ステップＳ１０９）、記録停止信号を検出しない場合は（ステップＳ１０９のＮｏ）継続して出力し、停止信号を検出した場合は（ステップＳ１０９のＹｅｓ）、出力部６はプロジェクター８への出力を停止する（ステップＳ１１２）。
【００６９】
（３．実施の形態によるマルチメディアコンテンツ生成装置の変形例）
図５は、マルチメディアコンテンツ生成装置の変形例の機能的ブロック図である。変形例によるマルチメディアコンテンツ生成装置３０が、上述したマルチメディアコンテンツ生成装置１と異なる構成については異なる符号を付し、同一の構成については同一の符号を付した。以下、構成の異なる点について主に説明する。
【００７０】
変形例によるマルチメディアコンテンツ生成装置３０においては、選択部２１、および制御部２２を備える。選択部２１は、複数あるプレゼンテーション実施端末（３２ａ〜ｃ、図６）、カメラ、マイク、あるいはスピーカーなどの入出力装置から、選択して入出力させる装置の選択、および装置における情報の入出力の選択を要求する選択要求信号を受け付ける。
【００７１】
制御部２２は、カメラ、マイク、あるいはスピーカーなどの装置および端末を支持する支持装置の動作など機械的制御、および装置における情報の入出力の制御を要求する制御要求信号を受け付ける。
【００７２】
また、制御部２２は、生成部５が生成するマルチメディアコンテンツの生成パラメータの制御要求を受け付ける。
【００７３】
図６は、変形例によるマルチメディアコンテンツ生成装置の構成を説明する図である。ここで、出力部６ｂは、グラフィックスカード１９に代えて、グラフィックス・サウンドカード３９を備え、マイク３５からの音声入力をスピーカー３６に出力する。
【００７４】
さらに入出力選択制御部３３を備え、ソフトウェアプロセッサ１３上で動作するＷｅｂサーバーで、ユーザーが入出力映像、入出力音声、およびイベント入力端末の間で入出力の選択を要求する選択入力を受け付け可能なＨＴＭＬファイルを生成し、ネットワークカード１５経由でネットワーク上の端末に送信して表示させる。これにより、ユーザーによる入力端末の選択が可能になる。
【００７５】
また、出入力選択制御部３３は、ＤＶカメラ１を支持する雲台３１の制御を行うインターフェイスを介してＷｅｂサーバーを利用してユーザーが指定可能な構成とする。
【００７６】
ここで、入出力選択制御部３３は図５における選択部２１を構成する。また、入出力選択制御部３３は図５における制御部２２を構成する。
【００７７】
図７は、変形例によるマルチメディアコンテンツ生成装置に入力する操作入力端末における操作表示画面の一例を説明する図である。図７に示すように、操作入力端末３８の画面６０には、メイン画面６１、サブ画面６２、モニター画面６３、デバイスリスト６４、および雲台の制御画面６５が表示され、それぞれ、例えば目次のような講演の概要を示す内容（６１）、ＤＶカメラ１によって撮影されるプレゼンターなどの映像（６２）、モニター画面に表示される映像（６３）、入出力するデバイスを選択するリスト画面（６４）、および雲台の位置を動かすなどの位置制御するための雲台の制御のためのボタン画面（６５）が表示されている。デバイスリスト画面６４からは、入出力映像装置、入出力音声装置、イベント入力端末装置を選択あるいは操作可能とすることができる。
【００７８】
ここで、雲台の制御ボタン６５をクリックすると、次画面が表示されて（不図示）、ＤＶカメラに接続された雲台の制御を行うインターフェイスも、Ｗｅｂサーバーを利用して、ユーザーが指定するように構成できる。
【００７９】
なお、スライドショー映像で変化がないにも関わらずデータを映像として記録するのは、記録データとしては冗長である。例えばプレゼンテーション端末の表示映像が、スライドアニメーションやデモンストレーションのためのアプリケーションとは異なり動きのないスライドの場合や、プレゼンターの動きが少ない場合は、静止画と経過時間情報で代用して、情報量を抑えることが望ましい。そのため公知の技術である画像の特徴量を利用して、映像の各フレームから画像特徴量を抽出し、隣接するフレーム間の特徴量により類似度が、所定の閾値よりも高い場合には、同一の静止映像で近似するために、実際は動画ではある映像部分を、静止画像と＋表示時間長とに置き換える。これは生成部５を構成するソフトウェアプロセッサ１３により公知技術を適用して実現可能である。こうすることによって、記録効率を高めた映像・音声を含むマルチメディアコンテンツを生成できる。
【００８０】
（４．効果）
ＤＶカメラ１から入力する映像情報および音声情報の少なくとも１つを含む情報、ならびにプレゼンテーション実施端末２から入力する資料情報および操作イベント情報の少なくとも１つを含む情報を、入力部４が入力し、入力した情報を生成部５が再構成しマルチメディアコンテンツとして生成し、かつ入力部４を介して入力したプレゼンテーション実施端末２からの映像出力およびＤＶカメラ１からの映像の少なくともいずれかをプロジェクター８が映像出力する。この構成によって、例えばプレゼンテーション会場においてプレゼンターがプレゼンテーションを行う場合、プレゼンターの撮影映像を入力し、かつプレゼンターが使用するプレゼンテーション実施端末２の画面に表示されたプレゼンテーションの資料・データなど映像を含む情報を入力しプロジェクター８に表示させプレゼンテーションを進行させながら、プレゼンテーション内容を記録したマルチメディアファイルを生成することができるので、簡易な構成と簡便な操作で自動的に映像・音声を含むマルチメディアコンテンツを生成できる。
【００８１】
（５．ハードウェア構成および記録媒体）
図８は、実施の形態によるマルチメディアコンテンツ生成装置のハードウェア構成例を示す図である。上述したマルチメディアコンテンツ生成装置は、あらかじめ用意されたプログラムをパーソナルコンピュータ、ワークステーション、あるいはマイクロコンピュータなどのコンピュータシステムで実行することによって実現できる。コンピュータ１００は、ＣＰＵ（Ｃｅｎｔｒａｌ  Ｐｒｏｃｅｓｓｉｎｇ  Ｕｎｉｔ）１０１によって装置全体が制御されている。ＣＰＵ１０１には、バス１０７を介してＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３、ハードディスクドライブ（ＨＤＤ：Ｈａｒｄ  Ｄｉｓｋ  Ｄｒｉｖｅ）１０４、グラフィック処理装置１０５、入力インターフェイス１０６、および通信装置１０８が接続されている。ＲＯＭ１０２、およびＲＡＭ１０３には、ＣＰＵ１０１に実行させるＯＳ（Ｏｐｅｒａｔｉｎｇ  Ｓｙｓｔｅｍ）のプログラムやアプリケーションプログラムの少なくとも一部が格納される。またＲＡＭ１０３には、ＣＰＵ１０１による処理に必要な各種データが格納される。ＨＤＤ１０４には、ＯＳ、各種ドライバプログラム、アプリケーションプログラム、検出されたデータなどが格納される。
【００８２】
グラフィック処理装置１０５には、モニター１１１が接続されている。グラフィック処理装置１０５は、ＣＰＵ１０１からの命令に従って、画像をモニター１１１の画面に表示させる。入力インターフェイス１０６には、キーボード１１２とマウス１１３とが接続されている。入力インターフェイス１０６は、キーボード１１２やマウス１１３から送られてくる信号を、バス１０７を介してＣＰＵ１０１に送信する。
【００８３】
以上のようなハードウェア構成によって、本実施の形態の処理機能を実現することができる。本実施の形態をコンピュータ１００上で実現するには、コンピュータ１００にドライバプログラムを実装する。
【００８４】
尚、本実施の形態のマルチメディアコンテンツ生成装置で実行されるマルチメディアコンテンツ生成プログラムは、インストール可能な形式又は実行可能な形式のファイルでＣＤ−ＲＯＭ、フロッピー（Ｒ）ディスク、ＤＶＤ等のコンピュータで読み取り可能な記録媒体に記録されて提供される。
【００８５】
また、本実施形態のマルチメディアコンテンツ生成プログラムを、インターネット等のネットワークに接続されたコンピュータ上に格納し、ネットワーク経由でダウンロードさせることにより提供および配布するように構成しても良い。
【産業上の利用可能性】
【００８６】
以上のように、本発明にかかるマルチメディアコンテンツ生成装置、マルチメディアコンテンツ生成方法、その方法をコンピュータに実行させるプログラム、およびマルチメディアコンテンツ生成システムは、マルチメディアファイル生成技術に有用であり、特に、入力されたマルチメディア情報からマルチメディアコンテンツファイルを生成するマルチメディアコンテンツ生成技術に適している。
【図面の簡単な説明】
【００８７】
【図１】実施の形態によるマルチメディアコンテンツ生成装置の機能的ブロック図である。
【図２】マルチメディアコンテンツ生成装置が生成したマルチメディアコンテンツを、モニターの表示画面に表示した一例を説明する図である。
【図３】マルチメディアコンテンツ生成装置の構成を説明する図である。
【図４】実施の形態によるマルチメディアコンテンツ生成の手順を説明するフローチャートである。
【図５】マルチメディアコンテンツ生成装置の変形例の機能的ブロク図である。
【図６】変形例によるマルチメディアコンテンツ生成装置の構成を説明する図である。
【図７】変形例によるマルチメディアコンテンツ生成装置に入力する操作入力端末における操作表示画面の一例を説明する図である。
【図８】実施の形態によるマルチメディアコンテンツ生成装置のハードウェア構成例を示す図である。
【符号の説明】
【００８８】
１  デジタルビデオ（ＤＶ）カメラ
２  プレゼンテーション実施端末
３  マルチメディアコンテンツ生成装置
４  入力部
５  生成部
６  出力部
７  操作入力端末
８  プロジェクター
９  ＤＶＤドライブ
１０  モニター
２１  選択部
２２  制御部
【図１】
2005252574.tif 000003
【図２】
2005252574.tif 000004
【図３】
2005252574.tif 000005
【図４】
2005252574.tif 000006
【図５】
2005252574.tif 000007
【図６】
2005252574.tif 000008
【図７】
2005252574.tif 000009
【図８】
2005252574.tif 000010